(57)【要約】【課題】１本の被結束材を対象とした結束バンドや、複数本の被結束材を束ねるための結束バンドは提案されているが、複数の被結束材を並設するための結束具は見当たらない。【解決手段】本発明に係る結束具は、帯状薄板材(1)の一側縁(2)に沿って所定の間隔(L)で他側縁(3)に向かう一側切込み(4)が設けられ、該他側縁(3)には該間隔(L)と同一の間隔(L)で該一側縁(2)に向かう他側切込み(5)が設けられている。該間隔(L)は、被結束材(M)の結束面の周長(m)と同等でも、該帯状薄板材(1)の折返し部分(11)で１．５倍となっている。該一側切込み(4)の深さ(d1)と該他側切込み(5)の深さ(d2)の合計寸法(d1+d2)は、該帯状薄板材(1)の幅(D)以下となっている。【選択図】図1
2015202867.tif 000002
【特許請求の範囲】
【請求項１】
帯状薄板材(1)の一側縁(2)に沿って所定の間隔(L)で他側縁(3)に向かう一側切込み(4)が設けられ、該他側縁(3)には該間隔(L)と同一の間隔(L)で該一側縁(2)に向かう他側切込み(5)が設けられていることを特徴とする結束具。
【請求項２】
該間隔(L)は被結束材(M)の結束面の周長(m)と同等となっている請求項１に記載の結束具。
【請求項３】
該間隔(L)は該帯状薄板材(1)の折返し部分(11)で１．５倍となっている請求項１又は２に記載の結束具。
【請求項４】
該一側切込み(4)の深さ(d1)と該他側切込み(5)の深さ(d2)の合計寸法(d1+d2)は、該帯状薄板材(1)の幅(D)以下となっている請求項１、２又は３に記載の結束具。
【請求項５】
該一側切込み(4)と該他側切込み(5)の少なくとも一方は開口(6)が拡寸の楔形となっている請求項１、２、３又は４に記載の結束具。
【請求項６】
該被結束材(M)は断面外周が、円、楕円、三角及び多角の各形状の内の一つとなっている請求項２に記載の結束具。
【請求項７】
該帯状薄板材(1)は金属製である請求項１から６のいずれか一つの項に記載の結束具。
【請求項８】
該帯状薄板材(1)は樹脂製である請求項１から６のいずれか一つの項に記載の結束具。
【発明の詳細な説明】
【技術分野】
【０００１】
本発明は結束具に係り、被結束材を並べて結束するのに適するようにしたものである。被結束材としては棒やパイプのように長尺のものが適しているが、ブロック状のものでも適用できる。
【背景技術】
【０００２】
特許文献１に開示された結束バンドは、要約書の解決手段、図３（ａ）を参照して分かる通りの構成となっている。即ち、バンド２０と留め具３０を備える。留め具３０とバンド２０の間にこのバンド２０を挿入できる貫通部９０を設ける。バンド２０の留め具３０を含むエリア側と先端側に、互いに逆止機能を果たす上面側歯７１と下面側歯５３をそれぞれ設ける。被結束材４０の外周面に巻きつけて先端側を留め具３０の貫通部９０に挿通して引っ張ると、下面側歯５３が上面側歯７１を弾発しながら乗り越え、先端側を放すと、バンド２０の復元力により両歯５３と７１が係合して被結束材４０を結束する。
【０００３】
特許文献２に開示された結束バンドは、要約書の解決手段、図４（ｂ）を参照して分かる通り、バンド部１とロック部２を備え、複数本のケーブルＣを束ねて巻きつけ、バンド部１に設けた爪部１１をロック部２のロック爪２３に係合させる結束バンドであって、バンド部１に破断部１３を設け、破断後の残長を均一にして結束後の信頼性を向上させるようにしたものである。
【先行技術文献】
【特許文献】
【０００４】
【特許文献１】特開２０１３−１２４１２３号公報
【特許文献２】特開２０１３−２５５２９５号公報
【発明の概要】
【発明が解決しようとする課題】
【０００５】
特許文献１に開示された結束具は１本の被結束材を対象としており（図２）、複数本の被結束材を並設するための結束を意図したものとは考えられない。
【０００６】
特許文献２に開示された結束具も特許文献１に開示された結束具と同様で、図３及び図４で分かる通り、３本の被結束材Ｃを束ねている。従って、複数本の被結束材を並設するために結束することを意図したものとは考えられない。
【０００７】
本発明は、複数本の被結束材のそれぞれに巻きつきながら相互の被結束材をも結束して被結束材を並設できる結束具を提供することを目的とする。
【課題を解決するための手段】
【０００８】
（請求項１）本発明に係る結束具は、帯状薄板材の一側縁に沿って所定の間隔で他側縁に向かう一側切込みが設けられ、該他側縁には該間隔と同一の間隔で該一側縁に向かう他側切込みが設けられている。
【０００９】
この結束具は帯状薄板材をその長手方向に折り返して使用するのが理想的であるが、２本の帯状薄板材を向い合せに使用してもよい。被結束材を相対する帯状薄板材の一側切込みと他側切込みのない部分に収め、相対する帯状薄板材の一側切込みと他側切込みを係合させる。この係合は、帯状薄板材を相対位置から帯状薄板材の幅方向へ相互にずらし、一側切込みと他側切込みを相互に係合させるだけでよい。
【００１０】
帯状薄板材を折り返して使用する場合、この折返し部分に被結束材を収めるので、一側切込みと他側切込みの係合個所は１個所となるが、それ以外の場所では被結束材の両側面での２個所となる。
【００１１】
このようにして被結束材を順次結束してゆくことにより、複数本の被結束材を並設できるので、作業を迅速にでき、係合も確実で結束が解けることはない。
【００１２】
被結束材の並設は、例えば下水熱の利用に必要とされる。この場合、被結束材はパイプとなり、複数本を並設して下水道に設置され、熱交換に利用される。勿論、これ以外にも種々の用途があり、棚板、柵のように、棒材を並設使用する物品には適用可能である。
【００１３】
（請求項２）該間隔は被結束材の結束面の周長と同等となっていてもよい。
こうすると、被結束材の結束面に帯状薄板材が隙間なく巻きつき、結束が安定する。
【００１４】
（請求項３）該間隔は該帯状薄板材の折返し部分で１．５倍となっていてもよい。
こうすると、１本の帯状薄板材を折り返して使用することにより、この折返し部分での端部処理をしなくて済み、結束作業が容易となる。
【００１５】
（請求項４）該一側切込みの深さと該他側切込みの深さの合計寸法は、該帯状薄板材の幅と等しくなっていてもよい。
こうすると、該一側切込みの深さと該他側切込みを係合させたとき、相対する帯状薄板材の幅同士が一致するので、結束力を有効に被結束材に与えることができる。
【００１６】
（請求項５）該一側切込みと該他側切込みの少なくとも一方は開口が拡寸の楔形となっていてもよい。
こうすると、該一側切込みと該他側切込みの係合作業がし易くなる。
【００１７】
（請求項６）該被結束材は断面外周が、円、楕円、三角及び多角の各形状の内の一つとなっていてもよい。
こうすると、複数の断面外周形状の該被結束材の結束に適用できる。
【００１８】
（請求項７）該帯状薄板材は金属製であってもよい。
こうすると、該帯状薄板材は結束強度が大なので、重量があったり、結束面の長い被結束材であっても、確実に結束できる。
【００１９】
（請求項８）該帯状薄板材は樹脂製であってもよい。
こうすると、該帯状薄板材を廉価に提供でき、製造も容易である。
【発明の効果】
【００２０】
本発明によれば、被結束材を相対する帯状薄板材の一側切込みと他側切込みのない部分に収め、相対する帯状薄板材を相対位置から帯状薄板材の幅方向へ相互にずらし、一側切込みと他側切込みを相互に係合させるだけで結束できる。また、このようにして被結束材を順次結束してゆくことにより、複数本の被結束材を並設できるので、作業を迅速にでき、係合も確実で結束が解けることはない。
【００２１】
請求項２によれば、被結束材の結束面に帯状薄板材が隙間なく巻きつき、結束が安定する。
【００２２】
請求項３によれば、１本の帯状薄板材を折り返して使用することにより、この折返し部分での端部処理をしなくて済み、結束作業が容易となる。
【００２３】
請求項４によれば、被結束材同士はその結束面の中間位置で結束されるので、被結束材同士の横並びが確実となる。
【００２４】
請求項５によれば、該一側切込みと該他側切込みの係合作業がし易くなる。
【００２５】
請求項６によれば、複数の断面外周形状の該被結束材の結束に適用できる。
【００２６】
請求項７によれば、該帯状薄板材は結束強度が大なので、重量があったり、結束面の長い被結束材であっても、確実に結束できる。
【００２７】
請求項８によれば、該帯状薄板材を廉価に提供でき、製造も容易である。
【図面の簡単な説明】
【００２８】
【図１】本発明にかかる結束具の具体例を、その一部を取り出して示す斜面図である。
【図２】発明にかかる結束具の別の具体例で、一本の帯状薄板材を折り返して結束するものの一部を取り出して示す斜面図である。
【図３】帯状薄板材が折返し部分で、断面外周が円形の被結束材を結束している状態の正面図である。
【図４】被結束材を結束する部分を形成した状態の斜面図である。
【図５】本発明にかかる結束具により４本の被結束材を結束している状態の斜面図である。
【図６】正四角形端面を有する被結束材の結束長の説明図である。
【発明を実施するための形態】
【００２９】
本発明の実施の形態を、図面を参照して説明する。
（請求項１）図１で、本発明に係る結束具は、帯状薄板材１の一側縁２に沿って所定の間隔Ｌで他側縁３に向かう一側切込み４が設けられ、この他側縁３には、一側縁２での間隔Ｌと同一の間隔Ｌで、この一側縁２に向かう他側切込み５が設けられている。
【００３０】
この結束具は、図２に示すような構成のものを採用し、図３及び図４に示すように、帯状薄板材１をその長手方向に折り返して使用するのが理想的であるが、図１の帯状薄板材１を採用し、その１対の帯状薄板材を向い合せに使用してもよい。以下の説明では、帯状薄板材１、１同士が相対して被結束材Ｍを結束する部分に言及するので、帯状薄板材１が折返し形式か、１対形式かについては補足的な説明に止める。
【００３１】
相対する帯状薄板材１、１の、一側切込み４と他側切込み５のない部分に被結束材Ｍを収め、この被結束材Ｍの断面外周面の各半長を帯状薄板材１、１で各別に卷装する。そして、この卷装の終端部で一方の帯状薄板材１の一側切込み４と他方の帯状薄板材１の他側切込み５を係合させる。この係合は、相対する帯状薄板材１、１を幅の方向へ相互にずらすことによって、簡単に行える。これにより、双方の帯状薄板材１、１間に被結束材Ｍが拘束される。
【００３２】
図５に示すように、このようにして被結束材を順次結束してゆくことにより、複数本の被結束材を並設できるので、作業を迅速にでき、係合も確実で結束が解けることはない。
【００３３】
なお、帯状薄板材１を折り返して使用する場合、この折返し部分１１に被結束材Ｍを収めるので、一側切込み４と他側切込み５の係合個所は１個所となるが、それ以外の並設場所では被結束材Ｍの断面外周上で相対する２個所となる。
【００３４】
（請求項２）図３及び図６に示すように、間隔Ｌは被結束材Ｍの結束面の周長ｍと同等となっている。
この場合、被結束材Ｍの結束面に帯状薄板材１が隙間なく巻きつき、結束が安定する。
【００３５】
（請求項３）図２に示すように、間隔Ｌは帯状薄板材１の折返し部分１１で１．５倍となっている。
この場合、１本の帯状薄板材１を折り返して使用することにより、この折返し部分１１での端部処理をしなくて済み、結束作業が容易となる。
【００３６】
（請求項４）図１で、一側切込み４の深さｄ１と他側切込み５の深さｄ２の合計寸法ｄ１＋ｄ２は、帯状薄板材１の幅Ｄ以下となっている。
この場合、一側切込み４の深さｄ１と他側切込み５を係合させたとき、相対する帯状薄板材１、１が相手の幅Ｄを越えて反対側へ臨出するような深さでは係合しないので、一側切込み４と他側切込み５の係合時にそれらの周辺部に大きな力が加わっても奥端部に亀裂を生じて帯状薄板材１、1が破断することがない。
【００３７】
（請求項５）一側切込み４と他側切込み５の少なくとも一方は開口６が拡寸の楔形となっている。
この場合、一側切込み４と他側切込み５の係合作業がし易くなる。
【００３８】
（請求項６）被結束材Ｍは断面外周が、円、楕円、三角及び多角の各形状の内の一つとなっている。
この場合、複数の断面外周形状の被結束材Ｍの結束に適用できる。
【００３９】
（請求項７）帯状薄板材１は金属製となっている。
この場合、帯状薄板材１は結束強度が大なので、重量があったり、結束面Ｐの長い被結束材Ｍであっても、確実に結束できる。
【００４０】
（請求項８）帯状薄板材１は樹脂製となっている。
この場合、帯状薄板材１を廉価に提供でき、製造も容易である。
【符号の説明】
【００４１】
Ｌ    間隔
Ｍ    被結束材
ｍ    周長
ｄ１   深さ
ｄ２   深さ
Ｄ    幅
Ｐ    結束面
１    帯状薄板材
２    一側縁
３    他側縁
４    一側切込み
５    他側切込み  
６    開口
１１  折返し部分
【図１】
2015202867.tif 000003
【図２】
2015202867.tif 000004
【図３】
2015202867.tif 000005
【図４】
2015202867.tif 000006
【図５】
2015202867.tif 000007
【図６】
2015202867.tif 000008